(57)【要約】【課題】煩雑な現場作業を伴うことなく施工することを可能とする間仕切壁及び間仕切壁の施工方法を提供すること。【解決手段】受材１１が天井面と床面とに固定されて設けられ、面材（石膏ボード１２ａ、１３ａ）に野縁材１２ｂ、１３ｂが予め取り付けられた複数のパネル１２、１３が、野縁材１２ｂ、１３ｂが受材１１に固定されることで、受材１１に対して取り付けられ、これにより間仕切壁１０が施工される。すなわち、面材（石膏ボード１２ａ、１３ａ）が予め工場等によって野縁材１２ｂ、１３ｂに取り付けられているので、従来のように、面材（石膏ボード１２ａ、１３ａ）を数多くのビス等によって軸組み１１に固定するという煩雑な現場作業を伴うことなく間仕切壁１０を施工することができる。【選択図】      図１
2004156375.tif 000002
【特許請求の範囲】
【請求項１】
天井面と床面とに固定されて設けられる受材と、
面材とこの面材に予め取り付けられた野縁材とを有して前記受材に対してその両側からそれぞれ取り付けられる複数のパネルとを備え、
前記パネルの前記受材に対する取り付けは、前記野縁材が前記受材に固定されることで行われていることを特徴とする間仕切壁。
【請求項２】
前記野縁材が前記面材の両側辺部のうち一方の側辺部のみに対して、その外縁より外側への突出部を有した状態で取り付けられていることを特徴とする請求項１に記載の間仕切壁。
【請求項３】
前記野縁材が前記面材の両側辺部のうち一方の側辺部のみに対して、その外縁と略面一状態で取り付けられていることを特徴とする請求項１又は請求項２に記載の間仕切壁。
【請求項４】
前記面材は、石膏ボードであることを特徴とする請求項１〜請求項３のいずれか一項に記載の間仕切壁。
【請求項５】
請求項１に記載の間仕切壁を施工する間仕切壁の施工方法であって、
前記受材を天井面と床面とに固定して設け、
次に、前記パネルの前記受材に対する取り付けを、前記野縁材を前記受材に固定することで行うことを特徴とする間仕切壁の施工方法。
【発明の詳細な説明】
【０００１】
【発明の属する技術分野】
本発明は、住宅等に設けられる間仕切壁及び間仕切壁の施工方法に関する。
【０００２】
【背景の技術】
近年、住宅の構築においては、いわゆるプレハブ化が進み、特に最近は洗練された住戸プランが多く生み出され、工期とともにデザイン性も注目されている。プレハブ化工法においては、壁、床等がユニット化された壁パネルや床パネルが用いられ、これらを用いるパネル工法は、工期短縮の真髄とも言える。一方、住宅の構築工程の中には、住戸プランの多様性等から、ユニット化して組み立てにくい工程も存在する。このうちの一つが間仕切壁の施工工程であり、従来一般には、例えば特許文献１にも示すように、受材を天井面と床面とに固定して設け、この軸組に対してその両側から石膏ボード等の耐火性の面材をビス等によって取り付けるというものである。
【０００３】
【特許文献１】
特開２０００−０７３４７４号公報、段落〔００１３〕、第１図〜第４図
【０００４】
【発明が解決しようとする課題】
ところで、耐火性のある面材の受材に対する取り付けは、一般に所定ピッチのビス等によって行い、間仕切壁に所定の耐火性能を確保する必要がある。特許文権１にも示す従来一般の技術においては、現場において、受材に対して面材を多くのビス等によって取り付ける必要があり、煩雑な現場作業を伴うことが指摘されてきた。
【０００５】
本発明の課題は、煩雑な現場作業を伴うことなく施工することを可能とする間仕切壁及び間仕切壁の施工方法を提供することである。
【０００６】
【課題を解決するための手段】
上記課題を解決するために、請求項１に記載の発明は、例えば図１〜図４に示すように、
天井面と床面とに固定されて設けられる受材１１と、
面材（石膏ボード１２ａ、１３ａ）とこの面材（石膏ボード１２ａ、１３ａ）に予め取り付けられた野縁材１２ｂ、１３ｂとを有して前記受材１１に対してその両側からそれぞれ取り付けられる複数のパネル１２、１３とを備え、
前記パネル１２、１３の前記受材１１に対する取り付けは、前記野縁材１２ｂ、１３ｂが前記受材１１に固定されることで行われていることを特徴としている。
【０００７】
請求項１に記載の発明によれば、受材１１が天井面と床面とに固定されて設けられ、面材（石膏ボード１２ａ、１３ａ）に野縁材１２ｂ、１３ｂが予め取り付けられた複数のパネル１２、１３が、野縁材１２ｂ、１３ｂが受材１１に固定されることで、受材１１に対して取り付けられている。すなわち、面材（石膏ボード１２ａ、１３ａ）が予め工場等によって野縁材１２ｂ、１３ｂに取り付けられているので、従来のように、面材（石膏ボード１２ａ、１３ａ）を数多くのビス等によって受材１１に固定するという煩雑な現場作業を伴うことなく間仕切壁１０を施工することができる。
【０００８】
なお、前記面材としては、例えば、石膏ボード１２ａ、１３ａ、人工大理石板、珪酸カルシウム板等が挙げられる。面材（石膏ボード１２ａ、１３ａ）の野縁材１２ｂ、１３ｂに対する取り付けは、一般に所定ピッチのビス等によって行い、間仕切壁１０に所定の耐火性能を確保する必要がある。
【０００９】
請求項２に記載の発明は、例えば図１〜図３に示すように、請求項１に記載の間仕切壁１０において、
前記野縁材１２ｂ（側辺材１２ｂ３）が前記面材（石膏ボード１２ａ）の両側辺部のうち一方の側辺部のみに対して、その外縁より外側への突出部１２ｂ７を有した状態で取り付けられていることを特徴としている。
【００１０】
請求項２に記載の発明によれば、前記野縁材１２ｂ（側辺材１２ｂ３）が前記面材（石膏ボード１２ａ）の両側辺部のうち一方の側辺部のみに対して、その外縁より外側への突出部１２ｂ７を有した状態で取り付けられている。したがって、一のパネル１２の一方の側辺部に取り付けられた野縁材１２ｂ（側辺材１２ｂ３）の突出部１２ｂ７に対して、別のパネル１２の他方の側辺部を取り付けることができる。すなわち、パネル１２を複数隣接させていくことができるとともに、この場合においても、隣接部で面材（石膏ボード１２ａ）を野縁材１２ｂ（側辺材１２ｂ３）に確実に取り付けることで、隣接部における面材（石膏ボード１２ａ）の納まりを良好とすることができる。
【００１１】
なお、パネル１２の隣接部における面材（石膏ボード１２ａ）の納まりを良好とすることで、面材（石膏ボード１２ａ）にクロス等の仕上面材を貼り付ける際における外観を良好とすることができる。
【００１２】
請求項３に記載の発明は、例えば図１、図２、図４に示すように、請求項１又は請求項２に記載の間仕切壁１０において、
前記野縁材１３ｂ（側辺材１３ｂ３）が前記面材（石膏ボード１３ａ）の両側辺部のうち一方の側辺部のみに対して、その外縁と略面一状態で取り付けられていることを特徴とする請求項１又は請求項２に記載の間仕切壁。
【００１３】
請求項３に記載の発明によれば、前記野縁材１３ｂ（側辺材１３ｂ３）が前記面材（石膏ボード１３ａ）の両側辺部のうち一方の側辺部のみに対して、その外縁と略面一状態で取り付けられている。したがって、請求項２に記載のパネル１２の一方の側辺部に取り付けられた野縁材１２ｂ（側辺材１２ｂ３）の突出部１２ｂ７に対して、本発明のパネル１３の他方の側辺部を取り付けることができる。また、外縁に略面一状態で野縁材１３ｂ（側辺材１３ｂ３）が取り付けられた本発明のパネル１３の一方の側辺部によって、袖壁となる間仕切壁１０の端部の納まりを良好とすることができる。
【００１４】
請求項４に記載の発明は、請求項１〜請求項３のいずれか一項に記載の間仕切壁１０において、
前記面材は、石膏ボード１２ａ、１３ａであることを特徴としている。
【００１５】
請求項４に記載の発明によれば、前記面材が石膏ボード１２ａ、１３ａであるので、面材を耐火性及び安価とすることができる。
【００１６】
請求項５に記載の発明は、例えば図１に示すように、請求項１に記載の間仕切壁１０を施工する間仕切壁１０の施工方法であって、
前記受材１１を天井面と床面とに固定して設け、
次に、前記野縁材１２ｂ、１３ｂを前記受材１１に固定することでこの受材１１に対して複数の前記パネル１２、１３を取り付けることを特徴としている。
【００１７】
請求項５に記載の発明によれば、受材１１が天井面と床面とに固定されて設けられ、面材（石膏ボード１２ａ、１３ａ）に野縁材１２ｂ、１３ｂが予め取り付けられた複数のパネル１２、１３が、野縁材１２ｂ、１３ｂが受材１１に固定されることで、受材１１に対して取り付けられている。すなわち、面材（石膏ボード１２ａ、１３ａ）が予め工場等によって野縁材１２ｂ、１３ｂに取り付けられているので、従来のように、面材（石膏ボード１２ａ、１３ａ）を数多くのビス等によって受材１１に固定するという煩雑な現場作業を伴うことなく間仕切壁１０を施工することができる。
【００１８】
【発明の実施の形態】
以下、図１〜図４を参照して、本発明である間仕切壁及び間仕切壁の施工方法の実施形態について詳細に説明する。図１において符号１０は、本発明に係る間仕切壁を示す。
【００１９】
本発明に係る間仕切壁１０は、例えば図１、図２に示すように、受材１１、袖壁の端部以外に設けられるパネル１２、袖壁の端部に設けられるパネル１３等から概略構成されている。
【００２０】
受材１１は、天井面に釘、ビス等によって固定される上辺材１１ａ、床面に釘、ビス等によって固定される下辺材１１ｂ、上辺材１１ａと下辺材１１ｂとを所定間隔で縦方向に連結し、上辺材１１ａや下辺材１１ｂに釘、ビス等によって取り付けられる縦辺材１１ｃとから構成されている。受材１１は、現場において形成される。
【００２１】
パネル１２、１３は、それぞれ石膏ボード１２ａ、１３ａ（面材）に対し野縁材１２ｂ、１３ｂが工場等において予め取り付けられたものである。野縁材１２ｂ、１３ｂは、上辺材１２ｂ１、１３ｂ１、下辺材１２ｂ２、１３ｂ２、側辺材１２ｂ３、１３ｂ３、中央材１２ｂ４、１３ｂ４とから構成されている。パネル１２、１３は、それらの表面側から石膏ボード１２ａ、１３ａを貫通し、上辺材１２ｂ１、１３ｂ１と下辺材１２ｂ２、１３ｂ２とに貫入する、図示しない釘、ビス等によって受材１１にその両側から取り付けられる。なお、石膏ボード１２ａ、１３ａの野縁材１２ｂ、１３ｂに対する取り付けは、所定ピッチの釘、ビス１２ｂ５、１３ｂ５等によって行われ、これにより間仕切壁１０に所定の耐火性能が確保されるようになっている。
【００２２】
なお、間仕切壁１０の側端部以外に設けられるパネル１２は、図３に示すように、側辺材１２ｂ３が、石膏ボード１２ａの両側辺部のうち一方の側辺部のみに対してその外縁より外側に突出する突出部１２ｂ７を有した状態で取り付けられているものである。
【００２３】
また、間仕切壁１０の側端部に設けられるパネル１３は、図４に示すように、側辺材１３ｂ３が、石膏ボード１３ａの両側辺部のうち一方の側辺部のみに対してその外縁と略面一状態で取り付けられているものである。
【００２４】
以上のように、本発明に係る間仕切壁１０は、受材１１がその両側からパネル１２、１３等によって挟まれた構造となっている。これにより、石膏ボード１２ａ、１３ａが受材１１によって分断され、遮音性や断熱性も向上するようになっている。
【００２５】
以下、本発明に係る間仕切壁１０の施工方法について説明する。
【００２６】
図１にも示すように、先ず、現場において受材１１を形成する。この際、天井面に釘、ビス等によって上辺材１１ａを固定するとともに、床面に首、ビス等によって下辺材１１ｂを固定し、さらに、上辺材１１ａと下辺材１１ｂとを縦辺材１１ｃによって所定間隔で縦方向に連結する。
【００２７】
次に、形成された受材１１に対してパネル１２、１３を、それらの表面側から釘、ビス等を石膏ボード１２ａ、１３ａを貫通させて上辺材１２ｂ１、１３ｂ１と下辺材１２ｂ２、１３ｂ２とに貫入させることで取り付ける。
【００２８】
この際、隣接するパネル１２（１３）どうしは、パネル１２の一方の側辺部に取り付けられた側辺材１２ｂ３の突出部１２ｂ７に対して、別のパネル１２（１３）の他方の側辺部を当てがい、その表面側から所定ピッチの釘、ビス１２ｂ６（１３ｂ６）等を、石膏ボード１２ａ（１３ａ）を貫通させて側辺材１２ｂ３（１３ｂ３）に貫入させることで取り付けることができる。すなわち、パネル１２（１３）を複数隣接させていくことができるとともに、この場合においても、隣接部で面材１２ａ（１３ａ）を側辺材１２ａ３（１３ａ３）に確実に取り付けることで、隣接部における面材１２ａ（１３ａ）の納まりを良好とすることができる。
【００２９】
最後に、パネル１２、１３の表面に、クロス等の仕上面材を貼り付ける。なお、パネル１２、１３の隣接部における石膏ボード１２ａ、１３ａの納まりが良好となっているので、石膏ボード１２ａ、１３ａにクロス等の仕上面材を貼り付ける際における外観を良好とすることができる。
【００３０】
本実施の形態によれば、以下のような効果を得ることができる。
▲１▼受材１１が天井面と床面とに固定されて設けられ、石膏ボード１２ａ、１３ａに野縁材１２ｂ、１３ｂが予め取り付けられた複数のパネル１２、１３が、野縁材１２ｂ、１３ｂが受材１１に固定されることで、受材１１に対して取り付けられている。すなわち、石膏ボード１２ａ、１３ａが予め工場等によって野縁材１２ｂ、１３ｂに取り付けられているので、従来のように、石膏ボード１２ａ、１３ａを数多くのビス等によって受材１１に固定するという煩雑な現場作業を伴うことなく間仕切壁１０を施工することができる。
【００３１】
▲２▼側辺材１２ｂ３が石膏ボード１２ａの両側辺部のうち一方の側辺部のみに対して、その外縁より外側への突出部１２ｂ７を有した状態で取り付けられている。したがって、一のパネル１２の一方の側辺部に取り付けられた側辺材１２ｂ３の突出部１２ｂ７に対して、別のパネル１２の他方の側辺部を取り付けることができる。すなわち、パネル１２を複数隣接させていくことができるとともに、この場合においても、隣接部で石膏ボード１２ａを側辺材１２ｂ３に確実に取り付けることで、隣接部における石膏ボード１２ａの納まりを良好とすることができる。
【００３２】
▲３▼側辺材１３ｂ３が石膏ボード１３ａの両側辺部のうち一方の側辺部のみに対して、その外縁と略面一状態で取り付けられている。したがって、請求項２に記載のパネル１２の一方の側辺部に取り付けられた側辺材１２ｂ３の突出部１２ｂ７に対して、本発明のパネル１３の他方の側辺部を取り付けることができる。また、外縁に略面一状態で側辺材１３ｂ３が取り付けられた本発明のパネル１３の一方の側辺部によって、袖壁となる間仕切壁１０の端部の納まりを良好とすることができる。
【００３３】
▲４▼面材が石膏ボード１２ａ、１３ａであるので、面材を耐火性及び安価とすることができる。
【００３４】
なお、本発明は、本実施の形態に限定されるものではなく、本発明の趣旨を逸脱しない範囲で様々な改変が可能である。
【００３５】
例えば、本実施の形態におけるパネル１２、１３には、ロックウール、グラスウール等の断熱材、遮音材を予め取り付けておき、間仕切壁１０の断熱材や遮音性を向上させてもよい。
【００３６】
【発明の効果】
請求項１及び請求項５に記載の発明によれば、受材が天井面と床面とに固定されて設けられ、面材に野縁材が予め取り付けられた複数のパネルが、野縁材が受材に固定されることで、受材に対して取り付けられている。すなわち、面材が予め工場等によって野縁材に取り付けられているので、従来のように、面材を数多くのビス等によって受材に固定するという煩雑な現場作業を伴うことなく間仕切壁を施工することができる。
【００３７】
請求項２に記載の発明によれば、請求項１に記載の発明と同様の効果が得られることは勿論のこと、前記野縁材が前記面材の両側辺部のうち一方の側辺部のみに対して、その外縁より外側への突出部を有した状態で取り付けられている。したがって、一のパネルの一方の側辺部に取り付けられた野縁材の突出部に対して、別のパネルの他方の側辺部を取り付けることができる。すなわち、パネルを複数隣接させていくことができるとともに、この場合においても、隣接部で面材を野縁材に確実に取り付けることで、隣接部における面材の納まりを良好とすることができる。
【００３８】
請求項３に記載の発明によれば、請求項１又は請求項２に記載の発明と同様の効果が得られることは勿論のこと、前記野縁材が前記面材の両側辺部のうち一方の側辺部のみに対して、その外縁と略面一状態で取り付けられている。したがって、請求項２に記載のパネルの一方の側辺部に取り付けられた野縁材の突出部に対して、本発明のパネルの他方の側辺部を取り付けることができる。また、外縁に略面一状態で野縁材が取り付けられた本発明のパネルの一方の側辺部によって、袖壁となる間仕切壁の端部の納まりを良好とすることができる。
【００３９】
請求項４に記載の発明によれば、請求項１〜請求項３のいずれか一項に記載の発明と同様の効果が得られることは勿論のこと、前記面材が石膏ボードであるので、面材を耐火性及び安価とすることができる。
【図面の簡単な説明】
【図１】本発明に係る間仕切壁を示す、（ａ）は分解斜視図であり、（ｂ）は分解上面図である。
【図２】本発明に係る間仕切壁を示す、（ａ）は斜視図であり、（ｂ）は上面図である。
【図３】本発明に係るパネルの一例を示す、（ａ）は斜視図であり、（ｂ）は上面図である。
【図４】本発明に係るパネルの一例を示す、（ａ）は斜視図であり、（ｂ）は上面図である。
【符号の説明】
１０            間仕切壁
１１          受材
１２          パネル
１２ａ      石膏ボード（面材）
１２ｂ      野縁材
１２ｂ３  側辺材
１２ｂ７  突出部
１３          パネル
１３ａ      石膏ボード（面材）
１３ｂ      野縁材
１３ｂ３  側辺材
【図１】
2004156375.tif 000003
【図２】
2004156375.tif 000004
【図３】
2004156375.tif 000005
【図４】
2004156375.tif 000006